(57)【特許請求の範囲】
【請求項１】
コイルボビン（２）とコイル（５）とコア（６）とを一体に組み付けたリアクター本体（１）を、取付金具（８）に取り付けてなるリアクターにおいて、
前記取付金具（８）の床部（９）の幅方向の両側部に、前記コイルボビン（２）のフランジ（３），（３）の肉厚部（４），（４）を挿入して取り付けるための取付部（１１），（１１）を形成し、  前記取付部（１１），（１１）の長さ方向の一端部側に、前記コイルボビン（２）のフランジ（３），（３）の肉厚部（４），（４）を受け止める位置決め手段を形成し、
前記取付金具（８）における取付部（１１），（１１）に、前記リアクター本体（１）におけるコイルボビン（２）のフランジ（３），（３）の肉厚部（４），（４）を挿入し、前記取付金具（８）における位置決め手段に、前記コイルボビン（２）のフランジ（３），（３）の肉厚部（４），（４）を当接させ、前記取付金具（８）にリアクター本体（１）を位置決めして固定した、
ことを特徴とするリアクター。
【請求項２】
コイルボビン（２）とコイル（５）とコア（６）とを一体に組み付けたリアクター本体（１）を、取付金具（８）に取り付けてなるリアクターにおいて、
前記取付金具（８）の床部（９）の幅方向の両側部に、前記コイルボビン（２）のフランジ（３），（３）の肉厚部（４），（４）を挿入して取り付けるための取付部（１１），（１１）を形成し、  前記取付部（１１），（１１）の長さ方向の一端部側に、前記コイルボビン（２）のフランジ（３），（３）の肉厚部（４），（４）を受け止める位置決め手段を形成し、前記取付部（１１），（１１）の長さ方向の他端部側に、リアクター本体（１）を固定するための固定片（１３），（１３）を立設し、
前記取付金具（８）における取付部（１１），（１１）に、前記リアクター本体（１）におけるコイルボビン（２）のフランジ（３），（３）の肉厚部（４），（４）を挿入し、前記取付金具（８）における位置決め手段に、前記コイルボビン（２）のフランジ（３），（３）の肉厚部（４），（４）を当接させ、前記取付金具（８）にリアクター本体（１）を位置決めし、前記取付金具（８）における固定片（１３），（１３）を互いに内側に折り曲げ、またはねじり、前記リアクター本体（１）を固定した、
ことを特徴とするリアクター。
【発明の詳細な説明】
【０００１】
【発明の属する技術分野】
この発明は、いわゆるテレビ等の電源回路の一次側に組み込まれ、高調波電流抑制用として使用されるリアクターに関する。
【０００２】
【従来の技術】
リアクターは、大別すると、コイルボビンにピン端子が植設されたピン端子タイプと、ピン端子がなく、コイルの引出線にリード線を接続した構造のリードタイプのものとがある。
【０００３】
前者のピン端子タイプのものは、ピンを介しプリント基板に実装して取り付けられる。後者のリードタイプのものは、取付用のピン端子がないため、コイルボビンに取付金具を取り付け、この取付金具を用いて取付面に取り付けるようにしている。
【０００４】
【発明が解決しようとする課題】
前述のごとく、コイルボビンに取付金具を取り付け、この取付金具における取付面にコイルボビンを取り付ける場合、コアが内鉄形のものでは取付部分の制約を受ける。このため、コイルボビンに対し、所定の位置に取付金具を位置決めして取り付ける必要があるが、従来においては、簡単に位置決めしつつ取付けるようにしたものがない、という課題があった。
【０００５】
本発明は上記のことに鑑み提案されたもので、その目的とするところは、取付金具を所定位置に、リアクター本体のコイルボビンに容易に位置決めして取り付けることができるようにしたリアクターを提供することにある。
【０００６】
【課題を解決するための手段】
前記目的を達成するため、本発明ではコイルボビン２とコイル５とコア６とを一体に組み付けたリアクター本体１を、取付金具８に取り付けてなるリアクターにおいて、前記取付金具８の床部９の幅方向の両側部に、前記コイルボビン２のフランジ３，３の肉厚部４，４を挿入して取り付けるための取付部１１，１１を形成し、前記取付部１１，１１の長さ方向の一端部側に、前記コイルボビン２のフランジ３，３の肉厚部４，４を受け止める位置決め手段を形成し、前記取付金具８における取付部１１，１１に、前記リアクター本体１におけるコイルボビン２のフランジ３，３の肉厚部４，４を挿入し、前記取付金具８における位置決め手段に、前記コイルボビン２のフランジ３，３の肉厚部４，４を当接させ、前記取付金具８にリアクター本体１を位置決めして固定している。
【０００７】
また、前記目的を達成するため、本発明では前記取付金具８の床部９の幅方向の両側部に、前記コイルボビン２のフランジ３，３の肉厚部４，４を挿入して取り付けるための取付部１１，１１を形成し、前記取付部１１，１１の長さ方向の一端部側に、前記コイルボビン２のフランジ３，３の肉厚部４，４を受け止める位置決め手段を形成し、前記取付部１１，１１の長さ方向の他端部側に、リアクター本体１を固定するための固定片１３，１３を立設し、前記取付金具８における取付部１１，１１に、前記リアクター本体１におけるコイルボビン２のフランジ３，３の肉厚部４，４を挿入し、前記取付金具８における位置決め手段に、前記コイルボビン２のフランジ３，３の肉厚部４，４を当接させ、前記取付金具８にリアクター本体１を位置決めし、前記取付金具８における固定片１３，１３を互いに内側に折り曲げ、またはねじり、前記取付金具８にリアクター本体１を固定している。
【０００８】
【発明の実施の形態】
以下、本発明の実施例を図面に基づいて説明する。
【０００９】
図１〜図３は本発明の一実施例を示すもので、図１は取付金具にリアクター本体を固定する前のリアクター本体と取付金具の斜視図、図２は取付金具にリアクター本体を固定した状態において、位置決め手段としての位置決め部側から見た図、図３は取付金具にリアクター本体を固定した状態において、反対側の固定片側から見た図である。
【００１０】
これらの図に示す実施例において、リードタイプのリアクター本体１は、コイルボビン２と、これの巻胴部（図示せず）にそれぞれ巻回されたコイル５と、これらに一対のコア６を一体に組み付けて構成されている。
【００１１】
前記コイルボビン２は２部材を並設して一体化してなり、かつ軸方向の両側のフランジ３，３の下部に、肉厚部４，４を有している。
【００１２】
前記コイルボビン２における各フランジ３の肉厚部４のそれぞれの上面４′と、コア６との間には、隙間７が設けられている。
【００１３】
前記リアクター本体１を固定するための取付金具８は、取付面への取付用の床部９と、これの幅方向の両側部に形成された取付部１１，１１と、この取付部１１，１１の長さ方向の一端部側に形成された位置決め手段としての位置決め部１２，１２と、同取付部１１，１１の長さ方向の他端部側に立設された固定片１３，１３とを有している。
【００１４】
前記床部９は、リアクター本体１を載置し得る大きさの、ほぼ矩形に形成されている。この床部９の隅部には、取付用穴１０が設けられている。
【００１５】
前記各取付部１１は、床部９の幅方向の両側部を断面ほぼ逆Ｌ字型に折り曲げて形成されていて、それぞれ側壁部１１ａと、折曲部分１１ｂとを有している。各取付部１１は、リアクター本体１におけるコイルボビン２のフランジ３の肉厚部４を挿入し，取り付け得る大きさに形成されている。そして、各取付部１１の前記折曲部分１１ｂは、コイルボビン２のフランジ３の肉厚部４の上面４′とコア６間の隙間７に入るようになっている。
【００１６】
前記各位置決め部１２は、床部９の幅方向の両端部からほぼ逆Ｌ字型に折り曲げて形成されている。この位置決め部１２は、コイルボビン２のフランジ３の肉厚部４の端面を受け止め、取付金具８にリアクター本体１を位置決めし得るようになっている。
【００１７】
前記各固定片１３は、床部９の幅方向の両端部からほぼＩ字型に折り曲げて形成されている。この固定片１３は、取付金具８にリアクター本体１を位置決めした状態で、互いに内側に折り曲げられ、またはねじられるようになっている。
【００１８】
この実施例において、取付金具８にリアクター本体１を固定するには、取付金具８に形成された取付部１１，１１に、リアクター本体１におけるコイルボビン２のフランジ３，３の肉厚部４，４の位置を合わせる。
【００１９】
ついで、取付金具８に対してリアクター本体１を図１に示す矢印ａ方向に押し込むと、取付金具８の取付部１１，１１内に、前記コイルボビン２のフランジ３，３の肉厚部４，４が挿入され、やがて取付部１１，１１の長さ方向の一端部側に形成された位置決め部１２，１２にコイルボビン２のフランジ３，３の肉厚部４，４の端面が当接する。
【００２０】
前述のごとく、取付金具８に形成された位置決め部１２，１２にコイルボビン２のフランジ３，３の肉厚部４，４が当接した状態では、取付金具８の取付部１１，１１にコイルボビン２のフランジ３，３の肉厚部４，４が挿入されて取り付けられ、取付金具８に対してリアクター本体１が位置決めされ、かつ取付金具８の床部９上にリアクター本体１が載置される。
【００２１】
この状態から、取付金具８の取付部１１，１１の長さ方向の他端部に立設された固定片１３，１３を図１に示す矢印ｂ方向、つまり互いに内側に向かって折り曲げ、またはねじり、取付金具８にリアクター本体１を固定する。
【００２２】
そして、前述のごとく取付金具８にリアクター本体１を固定してなるリアクターを、相手方の部材（図示せず）に取り付けるには、取付金具８の床部９に設けられた取付用穴１０を利用して、ビスまたはリベット等の固着部材（図示せず）により固着する。
【００２３】
以上説明したところからも分かるように、この実施例では取付金具８に形成された取付部１１，１１の長さ方向の一端部側に、リアクター本体用の位置決め手段である位置決め部１２，１２を折曲して形成しておき、取付金具８における取付部１１，１１に、リアクター本体１におけるコイルボビン２のフランジ３，３の肉厚部４，４を挿入して取り付けるとともに、取付金具８における前記位置決め部１２，１２に、コイルボビン２のフランジ３，３の肉厚部４，４の端面を当接させ、取付金具８の所定位置に、リアクター本体１を位置決めするようにしているので、取付金具８に対してリアクター本体１を容易に位置決めすることができる。
【００２４】
また、この実施例では取付金具８における取付部１１，１１の長さ方向の他端部側に固定片１３，１３を立設し、この固定片１３，１３を互いに内側に折り曲げ、またはねじってリアクター本体１を固定するようにしているので、前述のごとく取付金具８における位置決め部１２，１２に、コイルボビン２のフランジ３，３の肉厚部４，４を当接させた状態で前記固定片１３，１３を内側に折り曲げ、またはねじることによって、取付金具８とリアクター本体１を位置決めした状態に保持しつつ、両部材を容易に固定することができる。
【００２５】
なお、本発明ではリアクター本体１の位置決め手段は、図面に示す位置決め部１２，１２に限らず、取付金具８における取付部１１，１１に挿入されたコイルボビン２のフランジ３，３の肉厚部４，４を受け止め、取付金具８に対してリアクター本体１を簡易に位置決めできるものであればよい。
【００２６】
【発明の効果】
以上説明したように、本発明では取付金具８の床部９の幅方向の両側部に、リアクター本体１におけるコイルボビン２のフランジ３，３の肉厚部４，４を挿入して取り付けるための取付部１１，１１を形成し、前記取付部１１，１１の長さ方向の一端部側に、前記コイルボビン２のフランジ３，３の肉厚部４，４を受け止める位置決め手段を形成し、前記取付金具８における取付部１１，１１に、前記リアクター本体１におけるコイルボビン２のフランジ３，３の肉厚部４，４を挿入し、前記取付金具８における位置決め手段に、前記コイルボビン２のフランジ３，３の肉厚部４，４を当接させ、前記取付金具８にリアクター本体１を位置決めするようにしているので、取付金具８の所定位置に、リアクター本体１を容易に位置決めし得る効果がある。
【００２７】
また、本発明では前記取付金具８における取付部１１，１１の長さ方向の他端部側に固定片１３，１３を立設し、前記取付金具８における位置決め手段により、コイルボビン２のフランジ３，３の肉厚部４，４を当接させて取付金具８にリアクター本体１を位置決めした後、前記固定片１３，１３を互いに内側に折り曲げ、またはねじり、取付金具８にリアクター本体１を固定するようにしているので、リアクター本体１を取付金具８の所定位置に位置決めした状態に保持しつつ、取付金具８に対してリアクター本体１を容易に固定し得る効果がある。
【図面の簡単な説明】
【図１】本発明の一実施例を示すもので、取付金具にリアクター本体を固定する前のリアクター本体と取付金具の斜視図である。
【図２】取付金具にリアクター本体を固定した状態において、位置決め手段としての位置決め部側から見た図である。
【図３】取付金具にリアクター本体を固定した状態において、固定片側から見た図である。
【符号の説明】
１    リアクター本体
２    コイルボビン
３    コイルボビンのフランジ
４    フランジの肉厚部
５    コイル
６    コア
８    取付金具
９    床部
１１  取付部
１２  位置決め部
１３  固定片
【図１】
0003600484.tif 000002
【図２】
0003600484.tif 000003
【図３】
0003600484.tif 000004